(57)【特許請求の範囲】
【請求項１】
所定のプログラムに基づいたデータ処理を実行する情報処理装置との相互間でデータ通信が可能な第１の通信手段と、外部の回線通信端末との相互間で所望のデータ通信が可能な第２の通信手段と、この第２の通信手段を利用するデータ通信が開始されるときにその旨を知らせるための所定の制御信号を前記第１の通信手段から前記情報処理装置に送信させる信号送信制御手段と、を具備する通信装置であって、
前記情報処理装置から送信される情報に基づいて、当該情報処理装置において前記第２の通信手段を利用するデータ通信処理のプログラムが立ち上げ状態にあるか否かを判断する判断手段と、
前記情報処理装置において前記データ通信処理のプログラムが立ち上げられていないものと前記判断手段によって判断されているときには前記所定の制御信号の前記情報処理装置への送信を禁止する禁止手段とを備え、
前記情報処理装置から送信される情報は、前記データ通信処理のプログラムが起動されたことを示す第１の信号とそのプログラムの起動が終了したことを示す第２の信号からなり、前記判断手段は、前記第１，第２の信号に基づいて、前記データ通信処理のプログラムが前記情報処理装置において立ち上げ状態にあるか否かを判断するように構成されている通信装置。
【請求項２】
前記第２の通信手段は、外部の回線通信端末との相互間でファクシミリ通信を実行可能なモデムであるとともに、前記禁止手段は、前記情報処理装置において前記モデムを利用するファクシミリ通信処理のプログラムが立ち上げられていないものと前記判断手段によって判断されているときには前記所定の制御信号の前記情報処理装置への送信を禁止するように構成されている請求項１に記載の通信装置。
【発明の詳細な説明】
【０００１】
【技術分野】
本発明は、ファクシミリ装置などの通信装置に関し、更に詳しくは、パーソナルコンピュータなどの情報処理装置と組み合わせて使用できるように構成されたタイプの通信装置に関する。
【０００２】
【従来の技術】
従来、たとえばファクシミリ装置としては、パーソナルコンピュータとの接続機能を備えたものがある。また、このようなタイプのファクシミリ装置としては、外部の他のファクシミリ装置から発呼があった場合に、リングコマンドと称される所定の制御信号をパーソナルコンピュータに対して送信するように構成されたものがある。このような構成のファクシミリ装置によれば、ファクシミリ受信処理を開始する際に、その旨を知らせる制御信号をパーソナルコンピュータへ送信するために、その後は外部のファクシミリ装置との相互間で実行されるファクシミリ通信処理をパーソナルコンピュータによって制御することが可能となる。パーソナルコンピュータの制御によってファクシミリ通信処理を実行させるようにすれば、たとえばファクシミリ受信した画像データをそのままファクシミリ装置からパーソナルコンピュータ内へ取り込むことができ、その後これらの画像データをパーソナルコンピュータで任意に処理することができるといった利点が得られる。
【０００３】
【発明が解決しようとする課題】
しかしながら、従来のファクシミリ装置では、次のような不具合があった。
【０００４】
すなわち、パーソナルコンピュータの制御によってファクシミリ通信処理を実行させるためには、ファクシミリ通信処理のプログラムをパーソナルコンピュータの記憶手段に予め記憶させておく必要があるばかりか、このプログラムを予め立ち上げておく必要がある。ところが、パーソナルコンピュータの実際の使用に際しては、ユーザーがファクシミリ通信処理のプログラムを常時立ち上げているとは限らず、そのようなプログラムを立ち上げることなく、それ以外のプログラムを立ち上げて、処理させている場合がある。
【０００５】
一方、従来のファクシミリ装置では、ファクシミリ通信処理を開始するときには、リングコマンドと称される所定の制御信号をパーソナルコンピュータに対して常に送信するように構成されているのが実情であった。従って、従来では、パーソナルコンピュータにおいてファクシミリ通信処理のプログラムが立ち上げられていない場合であっても、外部からの発呼があったときには常に前記所定の制御信号がパーソナルコンピュータに対して送信されていた。
【０００６】
ところが、このようにパーソナルコンピュータにおいてファクシミリ通信処理のプログラムが立ち上げられていないときに、このパーソナルコンピュータに対してファクシミリ装置から所定の制御信号が送信されてしまうと、パーソナルコンピュータ側では、この制御信号に対応するための何らかの応答処理を実行することとなる。このような応答処理は、パーソナルコンピュータにおいて他のプログラムの処理が実行されている場合には、それらの処理を中断させる割り込み処理となる。一方、このような応答処理をパーソナルコンピュータが実行しても、結局は、パーソナルコンピュータにおいてファクシミリ通信処理のプログラムが立ち上げられていない限りは、そのプログラムに基づいたファクシミリ通信処理の制御は実行不可能なのであるから、パーソナルコンピュータで実行される応答処理によって何らかのメリットが生じる訳ではなく、実質的には何ら意味をなさない。
【０００７】
このように、従来では、ファクシミリ通信処理を開始する際にファクシミリ装置からパーソナルコンピュータに対して所定の制御信号を送信させているが、このような制御信号の送信は、パーソナルコンピュータの状況如何では、パーソナルコンピュータに無用な割り込み処理を実行させるに過ぎず、却ってパーソナルコンピュータによって実行されている他のデータ処理を中断させて、そのデータ処理の能率を低下させる要因になってしまうという不具合を生じていた。
【０００８】
尚、このような不具合は、ファクシミリ装置をパーソナルコンピュータに接続した場合に限らず、たとえばファクシミリ装置以外の通信装置をパーソナルコンピュータ以外の情報処理装置に接続して、ファクシミリ通信以外のデータ通信を実行させる場合においても、同様に生じる。
【０００９】
本発明は、このような事情のもとで考え出されたものであり、ファクシミリ装置などの通信装置を利用して所望のデータ通信を実行する場合に、そのデータ通信処理を通信装置とは別の情報処理装置によって必要に応じて制御できるようにするとともに、情報処理装置によってデータ通信処理を制御する必要が無い場合には情報処理装置によって実行されるデータ処理が通信装置との関係において不必要に中断されるといったことを無くし、情報処理装置のデータ処理の能率低下を適切に防止できるようにすることをその目的としている。
【００１０】
【発明の開示】
上記目的を達成するため、請求項１に記載した発明の通信装置は、所定のプログラムに基づいたデータ処理を実行する情報処理装置との相互間でデータ通信が可能な第１の通信手段と、外部の回線通信端末との相互間で所望のデータ通信が可能な第２の通信手段と、この第２の通信手段を利用するデータ通信が開始されるときにその旨を知らせるための所定の制御信号を前記第１の通信手段から前記情報処理装置に送信させる制御を実行する信号送信制御手段と、を具備する通信装置であって、前記情報処理装置から送信される情報に基づいて、当該情報処理装置において前記第２の通信手段を利用するデータ通信処理のプログラムが立ち上げ状態にあるか否かを判断する判断手段と、前記情報処理装置において前記データ通信処理のプログラムが立ち上げられていないものと前記判断手段によって判断されているときには前記所定の制御信号の前記情報処理装置への送信を禁止する禁止手段とを備えたことを特徴とする。
【００１１】
さらに、前記情報処理装置から送信される情報は、前記データ通信処理のプログラムが起動されたことを示す第１の信号とそのプログラムの起動が終了したことを示す第２の信号からなり、前記判断手段は、前記第１，第２の信号に基づいて、前記データ通信処理のプログラムが前記情報処理装置において立ち上げ状態にあるか否かを判断するように構成されている。
【００１２】
請求項２に記載した発明の通信装置は、請求項１に記載の通信装置であって、前記第２の通信手段は、外部の回線通信端末との相互間でファクシミリ通信を実行可能なモデムであるとともに、前記禁止手段は、前記情報処理装置において前記モデムを利用するファクシミリ通信処理のプログラムが立ち上げられていないものと前記判断手段によって判断されているときには前記所定の制御信号の前記情報処理装置への送信を禁止するように構成されている。
【００１３】
【発明の実施の形態】
以下、本発明の好ましい実施の形態について、図面を参照しつつ具体的に説明する。
【００１４】
図１は、本発明に係る通信装置の具体例としての多機能通信装置２を、情報処理装置の具体例としてのパーソナルコンピュータ１と組み合わせて使用する場合の一例を示す回路ブロック図である。
【００１５】
パーソナルコンピュータ１は、いわゆるマルチウインドウを用いたＧＵＩを採用しており、複数のアプリケーションソフトを同時に起動させておくことが可能である。多機能通信装置２は、後述するように、ファクシミリ通信機能を有しており、またそれ以外として、プリンタ、イメージスキャナ、およびコピー機などとしての複数の機能を有している。
【００１６】
多機能通信装置２は、ＣＰＵ２１、ＲＡＭ２２、ＲＯＭ２３、ゲートアレイ２４、インタフェース２５、画像読取部２６、記録部２７、モデム２８、およびＮＣＵ２９を具備して構成されている。ＣＰＵ２１、ＲＡＭ２２、ＲＯＭ２３、ゲートアレイ２４、およびインタフェース２５は、バス線により相互に接続されている。バス線は、データバス、アドレスバス、および制御信号線を含むが、これは後述するパーソナルコンピュータ１のバス線についても同様である。
【００１７】
ＣＰＵ２１は、多機能通信装置２の全体を制御する。ＲＡＭ２２およびＲＯＭ２３は、多機能通信装置２の各部を制御するためのデータやプログラムなどを記憶するためのものである。また、ＲＯＭ２３には、ファクシミリ通信処理を実行するためのプログラムが記憶されており、この多機能通信装置２は、モデム２８を利用したファクシミリ通信処理を単独で実行できるように構成されている。但し、後述するように、この多機能通信装置２は、パーソナルコンピュータ１の制御下においても、モデム２８を利用したファクシミリ通信が実行可能である。
【００１８】
インタフェース２５は、本発明でいう第１の通信手段に相当するものである。このインタフェース２５は、パーソナルコンピュータ１のインタフェース１５とケーブル３１を介して接続されており、たとえばＲＳ−２３２Ｃなどの規格に基づいて、多機能通信装置２とパーソナルコンピュータ１との相互間における各種のデータの送受信を制御する。ゲートアレイ２４は、画像読取部２６、記録部２７、モデム２８、およびＮＣＵ２９の各々とＣＰＵ２１との間のインタフェースとして機能する。画像読取部２６は、原稿の画像を読み取って画像信号に変換する機能を有している。記録部２７は、画像データを所望の記録紙にプリントアウトする機能を有している。
【００１９】
モデム２８は、本発明でいう第２の通信手段に相当するものであって、ファクシミリ通信を実行可能なものであり、ファクシミリ通信に際して送信データの変調処理や受信データの復調処理を行う。このモデム２８は、ＮＣＵ２９と接続されている。ＮＣＵ２９は、電話回線などの通信回線Ｌと接続されており、網制御を行う。このＮＣＵ２９は、ＣＰＵ２１の指令によって通信回線Ｌの接続や遮断を行うとともに、通信回線Ｌを介して外部から所定の呼出信号が送信されてきたときにはその旨を知らせる所定の信号をＣＰＵ２１に送出するように構成されている。
【００２０】
パーソナルコンピュータ１は、前記インタフェース１５以外として、プロセサ１１、ＲＯＭ１２、ＲＡＭ１３、ゲートアレイ１４、ハードディスク装置１６、フレキシブルディスクドライブ１７、操作部１８、およびディスプレイ１９を具備している。プロセサ１１、ＲＯＭ１２、ＲＡＭ１３、ゲートアレイ１４、およびインタフェース１５は、バス線により相互に接続されている。
【００２１】
プロセサ１１は、ハードディスク装置１６にインストールされているＯＳや後述する各種のアプリケーションソフトウェアなどのプログラムに基づいて動作し、情報処理を行う。ＲＯＭ１２やＲＡＭ１３は、各種のデータやプログラムなどを記憶するのに用いられる。ゲートアレイ１４は、ハードディスク装置１６、フレキシブルディスクドライブ１７、操作部１８、およびディスプレイ１９の各々とプロセサ１１との間のインタフェースとして機能する。フレキシブルディスクドライブ１７は、フレキシブルディスクの内容を読み出す。操作部１８は、テンキーやその他の複数の操作スイッチを具備して構成されている。ディスプレイ１９は、たとえばＣＲＴや液晶表示器などによって構成されている。
【００２２】
パーソナルコンピュータ１のハードディスク装置１６には、アプリケーションソフトウェアの具体例として、このパーソナルコンピュータ１の制御の下に多機能通信装置２のモデム２８を利用したファクシミリ通信処理を実行させるとともに、そのファクシミリ通信によって得られた画像データをこのパーソナルコンピュータ１に取り込むといったファクシミリ通信処理のプログラムがインストールされている。むろん、このファクシミリ通信処理のプログラムの内容は、多機能通信装置２のＲＯＭ２３に記憶されているファクシミリ通信処理のプログラムとは相違する内容である。また、ハードディスク装置１６には、前記以外のプログラムとして、パーソナルコンピュータ１で作成した文書や画像を多機能通信装置２の記録部２７を利用してプリントアウトさせたり、あるいは画像読取部２６を用いて読み取らせた原稿の画像信号をパーソナルコンピュータ１に取り込んだりという、各種の機能を実現するための種々のアプリケーションソフトがインストールされている。これらのアプリケーションソフトウェアは、フレキシブルディスクドライブ１７にフレキシブルディスクを挿入して操作部１８で所定の操作を行うことにより、ハードディスク装置１６にインストールされる。
【００２３】
プロセサ１１は、ハードディスク装置１６にインストールされているファクシミリ通信処理のプログラムが立ち上げられている状態において、多機能通信装置２から所定の制御信号を受けたときには、そのプログラムに基づいたファクシミリ通信処理を多機能通信装置２のモデム２８を利用して実行させるように、多機能通信装置２に対して各種の制御信号をインタフェース１５から送信させる制御を行うように構成されている。また、プロセサ１１は、前記ファクシミリ通信処理のプログラムが立ち上げられた際には、その旨を知らせる所定のコマンド（起動コマンド）をインタフェース１５を介して多機能通信装置２に送信する制御を行うように構成されている。更に、プロセサ１１は、前記ファクシミリ通信処理用のプロセサ１１の起動が終了し、その立ち上げ状態が解消された際には、その旨を知らせる所定のコマンド（終了コマンド）をインタフェース１５を介して多機能通信装置２に送信する制御をも実行するように構成されている。尚、本発明にいうファクシミリ通信処理のプログラムが立ち上げられている状態とは、そのプログラムがハードディスク装置１６に単にインストールされているだけの状態をいうのではなく、少なくともそのプログラムに基づいた一連のデータ処理をプロセサ１１が任意のタイミングで即座に実行できる態勢になっている状態の意である。
【００２４】
多機能通信装置２のＣＰＵ２１は、本発明でいう判断手段と信号送信制御手段との双方を兼ねるものであり、パーソナルコンピュータ１からインタフェース２５に起動コマンドや終了コマンドが送信されてきたか否かによってパーソナルコンピュータ１においてファクシミリ通信処理のプログラムが立ち上げられているか否かを判断するように構成されている。すなわち、パーソナルコンピュータ１から起動コマンドがインタフェース２５に送信され、その後終了コマンドが送信されてこない場合には、ＣＰＵ２１は、パーソナルコンピュータ１においてファクシミリ通信処理のプログラムが立ち上げられていると判断する。これに対し、パーソナルコンピュータ１からインタフェース２５に起動コマンドが送信されてこない場合、および起動コマンドが送信されてきてもその後に終了コマンドが送信されてきた場合には、ＣＰＵ２１は、パーソナルコンピュータ１においてファクシミリ通信処理のプログラムが立ち上げられていないと判断する。後述するように、この判断は、フラグの“０”，“１”を利用して実行される。
【００２５】
ＣＰＵ２１は、通信回線Ｌに接続された外部の回線通信端末（図示略）から多機能通信装置２に対して発呼がなされ、ＮＣＵ２９が所定の呼出信号を受信すると、その時点でその旨を知らせるための所定の制御信号をインタフェース２５からパーソナルコンピュータ１に送信させる制御を実行するように構成されている。但し、ＣＰＵ２１はこのような処理を常に実行するのではなく、パーソナルコンピュータ１においてファクシミリ通信処理のプログラムが立ち上げられていると判断している場合にのみ、前記所定の制御信号をパーソナルコンピュータ１に送信させる制御を実行するように構成されている。ＣＰＵ２１は、パーソナルコンピュータ１においてファクシミリ通信処理のプログラムが立ち上げられていないと判断した場合には、パーソナルコンピュータ１に所定の制御信号を送信することなく、この多機能通信装置２単独でファクシミリ通信処理を実行させるように構成されている。
【００２６】
次に、上記構成のパーソナルコンピュータ１と多機能通信装置２とを用いてファクシミリ通信を行う場合における多機能通信装置２の具体的な動作手順の一例について、図２に示すフローチャートを参照しながら説明する。
【００２７】
先ず、多機能通信装置２を立ち上げると、ＣＰＵ２１は、初期設定として所定のフラグを“０”に設定する（Ｓ１）。このフラグは、パーソナルコンピュータ１においてファクシミリ通信処理のプログラムが立ち上がっているか否かを判断するためのフラグであり、フラグ“０”は、パーソナルコンピュータ１において前記プログラムが立ち上がっていない状態を示す。また逆に、フラグ“１”は、前記プログラムが立ち上がっている状態を示す。パーソナルコンピュータ１で前記プログラムが立ち上げられた場合には、パーソナルコンピュータ１から多機能通信装置２に起動コマンドが送信されてくるために、この場合には前記フラグが“１”とされる（Ｓ２：ＹＥＳ，Ｓ３）。これに対し、パーソナルコンピュータ１から起動コマンドが送信されてこない場合、あるいは起動コマンドが送信されてきてもその後に終了コマンドが送信されてきた場合には、フラグは“０”のままに維持され、または“０”に切り替えられることとなる（Ｓ２：ＮＯ，Ｓ４：ＹＥＳ，Ｓ５）。
【００２８】
次いで、外部の回線通信端末から多機能通信装置２に対して発呼がなされ、所定の呼出信号が通信回線Ｌを介して送信されてくると（Ｓ６：ＹＥＳ）、ＣＰＵ２１は、その時点で前記フラグを参照する（Ｓ７）。パーソナルコンピュータ１においてファクシミリ通信処理のプログラムが立ち上げられていれば、フラグは“１”であり（Ｓ７：ＹＥＳ）、この場合ＣＰＵ２１は、パーソナルコンピュータ１に所定の制御信号を送信する（Ｓ８）。尚、この際にベル鳴動動作を同時に行わせることもできる。すると、パーソナルコンピュータ１は、前記所定の制御信号に対する応答信号を多機能通信装置２に対して送信することとなり（Ｓ９：ＹＥＳ）、その後はパーソナルコンピュータ１のプロセサ１１がハードディスク装置１６にインストールされていたファクシミリ通信処理のプログラムに基づいたファクシミリ通信処理を実行することとなる。
【００２９】
このファクシミリ通信処理は、プロセサ１１が所定の制御コマンドを多機能通信装置２に送信し、この多機能通信装置２をパーソナルコンピュータ１が制御することによって実行される。より具体的には、まずプロセサ１１は、多機能通信装置２に対して回線接続を実行させる制御コマンドを送信し、これに対応して多機能通信装置２のＮＣＵ２９は通信回線Ｌの回線接続を行う（Ｓ１０）。次いで、その回線接続後は、パーソナルコンピュータ１の制御によってモデム２８を利用したファクシミリ通信が実行され（Ｓ１１）、そのファクシミリ通信が終了すると、やはりパーソナルコンピュータ１の制御によって通信回線Ｌの回線遮断がなされる（Ｓ１２：ＹＥＳ，Ｓ１３）。パーソナルコンピュータ１の制御によるファクシミリ通信では、たとえばモデム２８で受信した画像データを多機能通信装置２からパーソナルコンピュータ１に順次取り込むことによって、それらの画像データをパーソナルコンピュータ１のＲＡＭ１３やハードディスク装置１６に記憶させてゆくことができる。
【００３０】
一方、前記の場合とは異なり、パーソナルコンピュータ１においてファクシミリ通信処理のプログラムが立ち上げられていない場合には、フラグは“０”である（Ｓ７：ＮＯ）。この場合、ＣＰＵ２１は、パーソナルコンピュータ１に対して特定の制御信号を送信することはなく、パーソナルコンピュータ１へのアクセスはない。ＣＰＵ２１は、多機能通信装置２単独でファクシミリ通信処理を実行するための制御を行う。具体的には、ＣＰＵ２１は、ＮＣＵ２９を動作させて通信回線Ｌの回線接続を行わせた後に（Ｓ１４）、ＲＯＭ２３に記憶されているファクシミリ通信処理のプログラムに基づいてモデム２８を利用したファクシミリ受信処理を制御し（Ｓ１５）、そのファクシミリ受信処理が終了すると回線遮断を行わせる（Ｓ１６：ＹＥＳ，Ｓ１３）。このようなファクシミリ通信によって受信した画像データは、たとえば多機能通信装置２のＲＡＭ２２に記憶され、または記録部２７に順次転送されてから記録紙にプリントアウントされる。
【００３１】
このように、結局、多機能通信装置２は、パーソナルコンピュータ１においてファクシミリ通信処理のプログラムが立ち上がっていないときには、パーソナルコンピュータ１に対して無用なアクセスを行うことはなく、この多機能通信装置２が単独でファクシミリ通信処理を実行する。従って、パーソナルコンピュータ１で他のアプリケーションソフトのプログラムが実行されている場合に、それらの実行処理に無用な割り込み処理を行わせる必要がなくなり、パーソナルコンピュータ１で実行されているデータ処理の効率を高めることができる。その一方、パーソナルコンピュータ１においてファクシミリ通信処理のプログラムが立ち上がっているときには、そのプログラムに基づいた所望のファクシミリ通信処理を行うことができ、便宜が図れる。
【００３２】
尚、前記実施形態では、ファクシミリ通信処理を実行する場合を一例として説明したが、本発明はこれに限定されない。本発明では、たとえばファクシミリ通信以外の通信処理、すなわち画像データ以外のデータの通信処理にも適用することができることは勿論である。
【００３３】
また、前記実施形態では、本発明に係る通信装置を、スキャナ機能やプリンタ機能などを備えた多機能通信装置として構成した場合を一例として説明したが、やはり本発明はこれに限定されない。その他、本発明に係る通信装置の各部の具体的な構成は種々に設計変更自在である。むろん、本発明に係る通信装置と組み合わせて使用される情報処理装置も前記実施形態のパーソナルコンピュータに限定されない。
【００３４】
【発明の効果】
以上説明したように、請求項１に記載した発明の通信装置によれば、この通信装置の第２の通信手段を利用するデータ通信処理のプログラムがパーソナルコンピュータなどの情報処理装置において立ち上がっているときには、所定の制御信号が情報処理装置に対して送信されるために、前記プログラムを利用した所望のデータ通信処理を適切に行わせることができる。一方、前記情報処理装置において前記プログラムが立ち上がっていないときには、所定の制御信号を前記情報処理装置に対して送信しないために、従来とは異なり、情報処理装置が所望のデータ通信処理を実行できない態勢にあるにも拘わらず、この情報処理装置に対して通信装置が無用にアクセスし、情報処理装置に余分な割り込み処理を実行させるといった無駄なデータ処理を実行させないようにすることができることとなる。従って、情報処理装置において実行されるデータ処理の能率低下を適切に防止することができるという優れた効果が得られる。
【００３５】
さらに、通信装置の第２の通信手段を利用したデータ通信処理のプログラムを情報処理装置において起動させたときに送信されてくる第１の信号とその起動を終了したときに通信装置に送信されてくる第２の信号に基づいて、前記プログラムが情報処理装置において立ち上げられているか否かを判断するために、その判断を確実かつ正確に行うことができるという利点が得られる。
【００３６】
請求項２に記載した発明の通信装置によれば、モデムを用いたファクシミリ通信処理のプログラムが情報処理装置において立ち上げられているときには、そのプログラムに基づいたファクシミリ通信処理を適切に行わせることができる。一方、前記プログラムが情報処理装置において立ち上げられていないときには、通信装置が情報処理装置に対して無用なアクセスを行うこともなく、情報処理装置によって実行されている他のプログラムのデータ処理を効率良く行わせることができる。
【図面の簡単な説明】
【図１】  本発明に係る通信装置の具体例としての多機能通信装置を情報処理装置の具体例としてのパーソナルコンピュータと組み合わせて使用する場合の一例を示す回路ブロック図である。
【図２】  図１に示す多機能通信装置の動作処理手順の一例を示すフローチャートである。
【符号の説明】
１  パーソナルコンピュータ（情報処理装置）
２  多機能通信装置（通信装置）
２１  ＣＰＵ（判断手段，信号送信制御手段）
２５  インタフェース（第１の通信手段）
２８  モデム（第２の通信手段）
Ｌ  通信回線
【図１】
0003738491.tif 000002
【図２】
0003738491.tif 000003